(57)【要約】【課題】  複数のブロックから構成されるコンテンツを、ユーザに見やすく表示することができる携帯端末、その制御方法及びプログラムを提供する。【解決手段】  ブラウザ部２２が所望のウェブサイトから取得したコンテンツのソースを表示分割部２４がブロックごとに分割し、ブロックに含まれている時刻情報に基づいて表示順序を決定する。次に、表示分割部２４は、ユーザのキー操作に応じて最新の時刻情報を有するブロックから順に表示制御部２０に表示部１０への表示を実行させる。【選択図】        図１
2006268362.tif 000002
【特許請求の範囲】
【請求項１】
複数のブロックから構成されるコンテンツを表示できる携帯端末であって、
前記コンテンツをブロックごとに分割し、所定の順序で表示する分割表示手段と、
前記分割表示手段の表示ブロックを切り替える表示切替手段と、
を備えることを特徴とする携帯端末。
【請求項２】
請求項１記載の携帯端末において、前記分割表示手段は、前記ブロックに含まれる時刻情報に基づいて順次表示することを特徴とする携帯端末。
【請求項３】
請求項２記載の携帯端末において、前記分割表示手段は、前記ブロックに含まれる時刻情報が現在時刻に近い順序で表示することを特徴とする携帯端末。
【請求項４】
請求項２または請求項３記載の携帯端末において、前記分割表示手段は、前記ブロックに複数の時刻情報が含まれている場合に、最初に読み出した時刻情報に基づいて順次表示することを特徴とする携帯端末。
【請求項５】
請求項１から請求項４のいずれか一項記載の携帯端末において、前記ブロックの表示切替はキー操作により実行されることを特徴とする携帯端末。
【請求項６】
請求項５記載の携帯端末において、前記ブロックの表示切替用のキーは、携帯端末の筐体の側面に配置されたサイドキーであることを特徴とする携帯端末。
【請求項７】
請求項５または請求項６記載の携帯端末において、前記分割表示手段は、前記各ブロック毎の表示と複数のブロックの同時表示とを切替可能であることを特徴とする携帯端末。
【請求項８】
請求項７記載の携帯端末において、前記各ブロック毎の表示と複数のブロックの同時表示との切替は、前記表示切替用のキーを所定時間以上長押しすることにより実行されることを特徴とする携帯端末。
【請求項９】
複数のブロックから構成されるコンテンツを表示できる携帯端末の制御方法であって、
前記コンテンツをブロックごとに分割し、所定の順序で表示するステップと、
前記表示ブロックを切り替えるステップと、
を備えることを特徴とする携帯端末の制御方法。
【請求項１０】
複数のブロックから構成されるコンテンツを携帯端末に表示させるプログラムであって、
前記コンテンツをブロックごとに分割し、所定の順序で表示し、
前記表示ブロックを切り替える処理をコンピュータに実行させることを特徴とするプログラム。
【発明の詳細な説明】
【技術分野】
【０００１】
本発明は、複数のブロックから構成されるコンテンツを表示できる携帯端末、その制御方法及びプログラムの改良に関する。
【背景技術】
【０００２】
従来より、インターネット等の通信ネットワークへの接続機能を備え、複数フレームを有するコンテンツの表示が可能な携帯電話が実用化されている。
【０００３】
例えば、下記特許文献１にも、フレームのあるウェブページを表示することができる携帯電話用のフレームワークシステムが開示されている。
【特許文献１】特開２００４−１４５７２１号公報
【発明の開示】
【発明が解決しようとする課題】
【０００４】
しかし、上記従来の技術においては、携帯端末の小さな表示画面に多くの情報を表示するため、ユーザにとって見難いという問題があった。
【０００５】
本発明は、上記従来の課題に鑑みなされたものであり、その目的は、複数のブロックから構成されるコンテンツを、ユーザに見やすく表示することができる携帯端末、その制御方法及びプログラムを提供することにある。
【課題を解決するための手段】
【０００６】
上記目的を達成するために、本発明は、複数のブロックから構成されるコンテンツを表示できる携帯端末であって、前記コンテンツをブロックごとに分割し、所定の順序で表示する分割表示手段と、前記分割表示手段の表示ブロックを切り替える表示切替手段と、を備えることを特徴とする。
【０００７】
ここで、上記分割表示手段は、前記ブロックに含まれる時刻情報に基づいて順次表示することを特徴とする。この際、前記ブロックに含まれる時刻情報が現在時刻に近い順序で表示するのが好適である。
【０００８】
また、上記分割表示手段は、前記ブロックに複数の時刻情報が含まれている場合に、最初に読み出した時刻情報に基づいて順次表示するのが好適である。
【０００９】
また、上記ブロックの表示切替はキー操作により実行されることを特徴とする。このブロックの表示切替用のキーは、携帯端末の筐体の側面に配置されたサイドキーであるのが好適である。
【００１０】
また、上記分割表示手段は、前記各ブロック毎の表示と複数のブロックの同時表示とを切替可能であることを特徴とする。この各ブロック毎の表示と複数のブロックの同時表示との切替は、前記表示切替用のキーを所定時間以上長押しすることにより実行されるのが好適である。
【００１１】
また、本発明は、複数のブロックから構成されるコンテンツを表示できる携帯端末の制御方法であって、前記コンテンツをブロックごとに分割し、所定の順序で表示するステップと、前記表示ブロックを切り替えるステップと、を備えることを特徴とする。
【００１２】
また、本発明は、複数のブロックから構成されるコンテンツを携帯端末に表示させるプログラムであって、前記コンテンツをブロックごとに分割し、所定の順序で表示し、前記表示ブロックを切り替える処理をコンピュータに実行させることを特徴とする。
【発明の効果】
【００１３】
本発明によれば、コンテンツをブロックごとに分割し、ブロックに含まれる時刻情報に基づいて順次表示するので、複数のブロックから構成されるコンテンツを、ユーザに見やすく表示することができる携帯端末、その制御方法及びプログラムを実現できる。
【発明を実施するための最良の形態】
【００１４】
以下、本発明を実施するための最良の形態（以下、実施形態という）を、図面に従って説明する。
【００１５】
図１には、本発明にかかる携帯端末の一実施形態の構成のブロック図が示される。図１において、携帯端末は、表示部１０、操作部１２、記憶部１４、通信部１６及び制御部１８を含んで構成されている。
【００１６】
表示部１０は、例えば液晶ディスプレイ等で構成され、文字データ、数値データ等のキー入力の内容、各種図形、ブラウザ部２２が発生した通信ネットワーク上のコンテンツの内容等を表示する。
【００１７】
上記キー入力は、図１の操作部１２により行う。この操作部１２は、例えば携帯端末の操作ボタン等により構成される。また、操作部１２には、携帯端末の筐体の側面に配置されたサイドキーも含まれる。
【００１８】
記憶部１４は、例えばＣＰＵの作業用のＲＡＭ、不揮発性メモリとしてのフラッシュメモリ、磁気記憶媒体等で構成されており、キー入力の内容、コンテンツの内容、コンテンツの分割情報等の各種データ及びプログラムが記憶される。
【００１９】
通信部１６は、公知の方法により基地局と通信して携帯通信端末としての通話機能を実現している。
【００２０】
制御部１８は、例えばＣＰＵ等で構成され、表示部１０、操作部１２、記憶部１４及び通信部１６とデータのやり取りを行いながらこれらの動作を制御する。
【００２１】
制御部１８の表示制御部２０は、主として表示部１０に表示される内容を制御する。この表示には、インターネット等の通信ネットワーク上のコンテンツの表示も含まれる。
【００２２】
また、ブラウザ部２２は、通信ネットワーク上に存在するコンテンツを参照するための参照情報を用いてコンテンツにアクセスし、コンテンツのソースを所望のウェブサイトから受け取って表示データに変換する。なお、上記参照情報としては、インターネット上のコンテンツを特定し、このコンテンツの所在を指示するＵＲＬ（Ｕｎｉｆｏｒｍ  Ｒｅｓｏｕｒｃｅ  Ｌｏｃａｔｏｒ）等を使用することができる。
【００２３】
また、表示分割部２４は、上記ブラウザ部２２が取得したコンテンツのソースを解析し、これを適宜なブロック毎に分割して表示部１０への表示順序を決定する。この表示順序は、例えば各ブロックの画面上における表示位置、各ブロックに含まれる時刻情報等に基づいて決定される。なお、コンテンツをブロックに分割するには、例えばＨＴＭＬにより構成されたコンテンツの場合、ソースの中から見出しを設定する＜ｈ＞タグ、段落を設定する＜ｐ＞タグ、罫線を設定する＜ｈｒ＞タグ、テーブルを設定する＜ｔａｂｌｅ＞タグ、フレームを設定する＜ｆｒａｍｅ＞タグ等を表示分割部２４が検出し、これらのタグ毎にブロックとして認識する等の方法が可能である。
【００２４】
また、表示切替部２６は、上記各ブロック毎の表示と複数のブロックの同時表示とを切り替える処理を行う。
【００２５】
なお、上述した制御部１８は、ＣＰＵを中心として構成されたコンピュータであってよく、この場合、メモリカードその他の媒体に格納されたプログラムをＣＰＵが実行することで制御部１８の各機能が実現される。
【００２６】
図２には、本実施形態にかかる携帯端末の筐体の斜視図が示される。図２において、携帯端末の筐体２８には、表示画面３０及び操作部１２を構成する操作ボタン３２等が備えられている。また、本実施形態では、筐体２８の側面に、操作部１２に含まれるサイドキー３４が配置されている。このサイドキー３４は、後述する複数のブロックの表示切替用のキーとして使用される。また、サイドキー３４を所定時間以上押下する長押しにより、表示切替部２６による各ブロック毎の表示と複数のブロックの同時表示との切替処理のトリガ信号を発生する構成としてもよい。
【００２７】
図３には、本実施形態にかかる携帯端末の動作の例のフローが示される。図３において、表示部１０の表示画面３０に所望のウェブサイトを表示させるためにブラウザ部２２を起動すると（Ｓ１）、ブラウザ部２２が当該ウェブサイトのコンテンツのソースを表示分割部２４に渡す。表示分割部２４は、渡されたコンテンツのソースを上記所定の方法によりブロックごとに分割する処理を実行し、コンテンツに複数のブロックが含まれているか否かを確認する（Ｓ２）。
【００２８】
ここで、コンテンツに複数のブロックが含まれていない場合には、筐体２８に設けられたサイドキー３４が無効化、すなわちサイドキー３４の押下に何れの機能も割り付けられない状態とされ（Ｓ３）、ブラウザ部２２が発生した表示データを表示制御部２０が表示部１０に表示する（Ｓ４）。これにより、所望のウェブサイトのコンテンツが表示部１０に表示される。
【００２９】
また、コンテンツに複数のブロックが含まれている場合には、表示分割部２４が各ブロックに時刻情報が含まれているか否かを確認する（Ｓ５）。各ブロックに時刻情報が含まれていない場合には、表示分割部２４が各ブロックの画面上における表示位置等に基づき表示順序を決定し、表示順序が最初のブロックのソースをブラウザ部２２に戻す。ブラウザ部２２は、戻されたソースから表示データを発生し、表示制御部２０が表示部１０にこの表示データを表示させる（Ｓ６）。以上のように、表示分割部２４、ブラウザ部２２、表示制御部２０及び表示部１０が、本発明にかかる分割表示手段として機能する。
【００３０】
次に、サイドキー３４が押下されると（Ｓ７）、表示分割部２４が表示順序が次のブロックがあるか否かを確認する（Ｓ８）。表示順序が次のブロックがある場合には、表示分割部２４が次のブロックのソースをブラウザ部２２に戻す。ブラウザ部２２は、戻されたソースから表示データを発生し、表示制御部２０が表示部１０にこの表示データを表示させて、表示ブロックを切り替える（Ｓ９）。また、Ｓ８で表示順序が次のブロックがない場合には、表示順序が最初のブロックを表示する。なお、この場合、ウェブサイトの表示処理を終了するように構成してもよい。以上のように、表示分割部２４及びサイドキー３４により、本発明の表示切替手段が構成される。
【００３１】
図４（ａ）には、複数のブロックに時刻情報が含まれていない場合の表示例が示される。図４（ａ）において、コンテンツ３６は、３個のブロックＡ、Ｂ、Ｃで構成されている。各ブロックには時刻情報が含まれていないので、上述したように、表示分割部２４が各ブロックの画面上における表示位置に基づき表示順序を決定する。本例では、表示画面の上方に表示されるブロックが優先され、次に左方に表示されるブロックが優先される。この結果、最初にブロックＡが表示される。以後、サイドキー３４が操作される毎にブロックＢ、ブロックＣの順序で切替表示される。
【００３２】
また、Ｓ５において、各ブロックに時刻情報が含まれている場合には、表示分割部２４が時刻情報を取得し、この時刻情報に基づいて表示順序を決定する（Ｓ１０）。なお、同一のブロックに複数の時刻情報が含まれている場合には、例えば表示分割部２４が当該ブロックについて最初に読み出した時刻情報に基づいて表示順序を決定するように構成するのが好適である。
【００３３】
表示分割部２４は、上記決定した表示順序に基づき、最新すなわち現在時刻に最も近い時刻情報を有するブロックのソースをブラウザ部２２に戻す。ブラウザ部２２は、戻されたソースから表示データを発生し、表示制御部２０が表示部１０にこの表示データを表示させる（Ｓ１１）。
【００３４】
次に、サイドキー３４が押下されると（Ｓ１２）、表示順序が次のブロックとして時刻情報が一段階旧い（現在時刻から遠い）ブロックがあるか否かを表示分割部２４が確認する（Ｓ１３）。表示順序が次のブロックがある場合には、表示分割部２４がそのブロックのソースをブラウザ部２２に戻す。ブラウザ部２２は、戻されたソースから表示データを発生し、表示制御部２０が表示部１０にこの表示データを表示させて、表示ブロックを切り替える（Ｓ１４）。また、Ｓ１３で表示順序が一段階旧いブロックがない場合には、最新のブロックを表示する。
【００３５】
図４（ｂ）には、複数のブロックに時刻情報が含まれている場合の表示例が示される。図４（ｂ）において、コンテンツ３６に含まれる３個のブロックＡ、Ｂ、Ｃには、それぞれ時刻情報３８が含まれている。従って、上述したように、表示分割部２４が各ブロックに含まれる時刻情報３８に基づいて表示順序を決定する。本例では、時刻情報３８が新しい（現在時刻に近い）ブロックが優先される。この結果、最初にブロックＣが表示される。以後、サイドキー３４が操作される毎にブロックＡ、ブロックＢの順序で切替表示される。
【００３６】
また図４（ｃ）には、ブロックに時刻情報が複数含まれている場合の表示例が示される。図４（ｃ）において、コンテンツ３６に含まれる３個のブロックＡ、Ｂ、Ｃには、それぞれ時刻情報３８が含まれており、特にブロックＢには時刻情報３８が複数含まれている。従って、上述したように、ブロックＢについては表示分割部２４が最初に読み出した時刻情報３８に基づいて表示順序を決定する。本例では、時刻情報３８として「１１：００」が最初に読み出されたものとする。この結果、最初にブロックＢが表示される。以後、サイドキー３４が操作される毎にブロックＡ、ブロックＣの順序で切替表示される。
【００３７】
以上の構成により、複数のブロックから構成されるコンテンツを所定の順序で切り替え表示することができるので、表示が小さくならず、且つ表示の切替も簡易な操作ででき、ユーザにとって表示が見やすく、使い易い携帯端末を提供できる。
【図面の簡単な説明】
【００３８】
【図１】本発明にかかる携帯端末の一実施形態の構成のブロック図である。
【図２】本実施形態にかかる携帯端末の筐体の斜視図である。
【図３】本実施形態にかかる携帯端末の動作の例のフロー図である。
【図４】本実施形態にかかる携帯端末の表示部におけるブロックの表示例を示す図である。
【符号の説明】
【００３９】
１０  表示部、１２  操作部、１４  記憶部、１６  通信部、１８  制御部、２０  表示制御部、２２  ブラウザ部、２４  表示分割部、２６  表示切替部、２８  筐体、３０  表示画面、３２  操作ボタン、３４  サイドキー、３６  コンテンツ、３８  時刻情報。
【図１】
2006268362.tif 000003
【図２】
2006268362.tif 000004
【図３】
2006268362.tif 000005
【図４】
2006268362.tif 000006